(57)【要約】【課題】枕の取付けと取外しが容易なマットレスへの枕の装着具を提供することである。【解決手段】マットレス１の一部又は全部を収容する第１空間５と、枕４を収容する第２空間６を有する。第１空間５は、マットレス１を出し入れする第１開口５ａを有し、第２空間６は、枕４を出し入れする第２開口６ａを有する。第１空間５と第２空間６の相対位置は固定されている。すなわち、第２空間６は枕４を収容する収容部として機能し、第１空間５は、この第２空間６をマットレス１に取り付ける取付部として機能する。【選択図】図３
2020130959.tif 000002
【特許請求の範囲】
【請求項１】
マットレスの一部又は全部を収容する第１空間と、枕を収容する第２空間を有し、
前記第１空間と第２空間の相対位置は固定されており、
前記第１空間は、マットレスを出し入れする第１開口を有し、
前記第２空間は、枕を出し入れする第２開口を有することを特徴とするマットレスへの枕の装着具。
【請求項２】
前記第２開口が、第１開口とは相違する側に設けられていることを特徴とする請求項１に記載のマットレスへの枕の装着具。
【請求項３】
第１開口よりも小さい第２開口が、第１開口と同じ側に設けられていることを特徴とする請求項１に記載のマットレスへの枕の装着具。
【請求項４】
前記第１空間に、マットレスの長さ方向の大きさを拡張する拡張部材を収容可能であることを特徴とする請求項１乃至３のいずれかに記載のマットレスへの枕の装着具。
【請求項５】
枕を収容する収容部と、前記収容部をマットレスの特定の位置に取り付ける取付部を有することを特徴とするマットレスへの枕の装着具。
【発明の詳細な説明】
【技術分野】
【０００１】
本発明は、マットレスの特定の位置に枕を装着する装着具に関するものである。
【背景技術】
【０００２】
弾力性を有するマットレスを使用すると、使用者は快適に就寝することができる。
使用者が就寝する際には、枕が使用されることが多い。
就寝中、使用者（就寝者）が同じ姿勢を続けることは稀であり、寝返り等様々な動きをすることが多い。その結果、枕の位置がずれることがある。
そこで、従来、枕の位置がずれないようにするための構成が提案されている。例えば、特許文献１には枕の位置を固定することができる部材がベッド上に装着された「起倒ベッドの落下防止カバー」の発明が開示されている。
【先行技術文献】
【特許文献】
【０００３】
【特許文献１】特開２００７−２９３４２号公報
【発明の概要】
【発明が解決しようとする課題】
【０００４】
特許文献１に開示されているような従来の構成は、枕等を固定する取付器具がベッドに直接装着されている。そのため、枕を使用せずに就寝したいときには、これらの取付器具がむき出し状態になるため、これらの取付器具が邪魔になる。
【０００５】
そこで本発明は、マットレス側に枕の取付器具を常備せず、枕の取付けと取外しが容易なマットレスへの枕の装着具を提供することを目的としている。
【課題を解決するための手段】
【０００６】
上記課題を解決するための請求項１に記載の発明は、マットレスの一部又は全部を収容する第１空間と、枕を収容する第２空間を有し、前記第１空間と第２空間の相対位置は固定されており、前記第１空間は、マットレスを出し入れする第１開口を有し、前記第２空間は、枕を出し入れする第２開口を有することを特徴とするマットレスへの枕の装着具である。
【０００７】
本発明では、マットレスにおける使用者の頭部を載置する側から、当該マットレスを、第１開口を介して第１空間内に収容することを想定している。
請求項１に記載の発明では、第１空間に対して相対位置が固定された第２空間内に枕が収容されるので、第２空間内の枕と第１空間内のマットレスの相対位置が固定される。よって、枕は、第１空間内のマットレスの特定の位置に配置される。すなわち、枕をマットレスの特定の位置に装着することができる。
また、第１空間に収容されたマットレスとは無関係に、枕のみを第２空間に対して出し入れすることができる。すなわち、枕はマットレスが収容された第１空間とは別の第２空間に収容されているので、第２空間に対して枕を出し入れする際に、枕とマットレスが互いに擦られずに済む。そのため、枕の出し入れによってマットレスが損耗することを防止することができる。
【０００８】
第２開口が、第１開口とは相違する側に設けられているのが好ましい（請求項２）。
第２開口が第１開口とは相違する側に設けられていると、マットレスをベッド上に載置し、ベッドをリクライニング状態（ベッドがくの字に屈曲し、使用者の上半身側が傾斜姿勢になる状態）にした際に、枕が第２空間から脱落しない。
ここで「第１開口とは相違する側」とは、第１開口に対して直交する方向にある側や、第１開口とは反対側を意味している。すなわち、第１空間が、マットレスの一部のみを収容することができる場合には、ベッドをリクライニングした際に、第１開口が下向きになることがあるが、第２開口が側方を向いた状態を維持（第１開口に対して直交する方向にある側）したり、第２開口が上向き（第１開口とは反対側）になると、枕は第２空間から脱落しない。
【０００９】
また、第１開口よりも小さい第２開口が、第１開口と同じ側に設けられていてもよい（請求項３）。すなわち、第２開口は、縦横の長さが相違する枕が、短手方向には通過可能で、長手方向には通過できない大きさを有しているのが好ましい。
【００１０】
請求項４に記載の発明は、前記第１空間に、マットレスの長さ方向の大きさを拡張する拡張部材を収容可能であることを特徴とする請求項１乃至３のいずれかに記載のマットレスへの枕の装着具である。
【００１１】
請求項４に記載の発明では、第１空間が、マットレスの長さ方向の大きさを拡張する拡張部材を収容可能であるので、第１空間に収容された拡張部材とマットレスが一体化される。そのため、マットレスと拡張部材を連結する機構を別途設ける必要がない。
【００１２】
請求項５に記載の発明は、枕を収容する収容部と、前記収容部をマットレスの特定の位置に取り付ける取付部を有することを特徴とするマットレスへの枕の装着具である。
【００１３】
請求項５に記載の発明では、枕を収容する収容部と、収容部をマットレスの特定の位置に取り付ける取付部を有するので、マットレスの特定の位置に枕を配置することができる。
【発明の効果】
【００１４】
本発明のマットレスへの枕の装着具では、マットレスの特定の位置に枕を装着することができる。
【図面の簡単な説明】
【００１５】
【図１】本実施形態に係る枕の装着具を取り付けたマットレスの斜視図であり、（ａ）は装着具に枕を装着していない状態を示し、（ｂ）は、装着具に枕を装着した状態を示す。
【図２】（ａ）は、図１（ｂ）のマットレス、装着具、及び枕を個別に示す分解斜視図であり、（ｂ）は、（ａ）のマットレス、装着具、及び枕を別の角度から見た分解斜視図である。
【図３】（ａ）は、拡張部材を並置したマットレス、装着具、及び枕の分解側面図であり、装着具のみを断面視して示しており、（ｂ）は、拡張部材を並置したマットレスに装着具を取り付ける途中の状態と、装着具に枕を装着する途中の状態を示す側面図であり、（ｃ）は、装着具に拡張部材とマットレスの一部を装着すると共に、装着具に枕を装着した状態を示す側面図であり、（ｄ）は、拡張部材を並置していないマットレスに装着具を取り付けると共に、装着具に枕を装着した状態を示す側面図である。
【図４】図１〜図３とは別の実施形態に係る装着具と、マットレスを示す斜視図である。
【図５】図１〜図４とはさらに別の実施形態に係る装着具と、マットレスを示す斜視図である。
【発明を実施するための形態】
【００１６】
以下、図面を参照しながら説明する。
図１（ａ）、図２（ａ）に示すように、マットレス１は、拡張部材２を並置して長さを拡張することができる。拡張部材２は、マットレス１と同様の素材で構成されており、マットレス１と同程度のクッション性を有している。マットレス１と拡張部材２の幅寸法は同じ、又は同程度であり、拡張部材２は、マットレス１の長さ方向の寸法を拡張したいときにマットレス１に隣接配置される。
【００１７】
本実施形態に係る装着具３は、周知の布生地で形成されている。図２（ａ）、図２（ｂ）に示すように、装着具３は、開口５ａを有する第１空間５と、開口６ａを有する第２空間６を備えている。開口５ａは、第１空間５の出入口を構成しており、開口６ａは、第２空間６の出入口を構成している。第１空間５と第２空間６は、布生地からなる仕切７（図３（ａ））によって仕切られている。すなわち、第１空間５と第２空間６の間には仕切７があり、両者は連通していない。第１空間５は、第２空間６の下方に設けられている。
【００１８】
また、開口５ａと開口６ａは、互いに反対側に設けられている。すなわち、装着具３の一方側に開口５ａ（第１開口）が設けられており、装着具３の他方側に開口６ａ（第２開口）が設けられている。具体的には、開口５ａは、マットレス１及び拡張部材２が配置された側（図３（ａ）で見て左側）に設けられており、開口６ａは、マットレス１及び拡張部材２が配置された側とは反対側（図３（ａ）で見て右側）に設けられている。
【００１９】
図２（ｂ）に示すように、第１空間５は有底であり、底部５ｂを有している。すなわち、第１空間５における開口５ａとは反対側に底部５ｂが設けられている。
第２空間６も有底であり、底部６ｂ（図２（ａ））を有している。すなわち、第２空間６における開口６ａとは反対側に底部６ｂが設けられている。
【００２０】
次に、装着具３をマットレス１に取り付ける方法について説明する。
本実施形態では、マットレス１における使用者の頭部を載置する側から、マットレス１を、開口５ａ（第１開口）を介して第１空間５内に収容し、マットレス１に装着具３を取り付けることを想定している。
【００２１】
図３（ａ）に示すように、装着具３の開口５ａ側にマットレス１を配置し、開口６ａ側に枕４を配置する。図３（ｂ）、図３（ｃ）に示すように、開口５ａを介して拡張部材２及びマットレス１を第１空間５内に収容し、装着具３をマットレス１に取り付ける。
【００２２】
本実施形態では、装着具３はマットレス１に対して短い。また、拡張部材２が、マットレス１の端部に並置されており、拡張部材２は第１空間５の底部５ｂに当接している。拡張部材２が底部５ｂに当接したとき、装着具３は、マットレス１の一部のみを収容してマットレス１に取り付けられている。このとき、マットレス１と拡張部材２は、装着具３によって一体に連結されている。換言すると、マットレス１と拡張部材２を連結する機構を別途設ける必要がない。
【００２３】
また、開口６ａを介して枕４を第２空間６内に収容する。すなわち、装着具３の第２空間６は、枕４を収容する収容部として機能する。第２空間６には底部６ｂが設けられており、有底である。そのため、枕４は第２空間６の範囲内でのみ移動が可能である。すなわち、枕４の移動可能な範囲は、第２空間６内に限定されている。
【００２４】
マットレス１と並置された拡張部材２が、底部５ｂに当接してマットレス１（拡張部材２）と装着具３の位置が固定されており、また、枕４の移動が第２空間６の範囲内に限定されている。その結果、拡張部材２を含めたマットレス１に対する枕４の位置がほぼ固定される。この枕４がマットレス１に対して固定された位置は、図３（ｃ）に示すように、比較的背が高い使用者の頭部がちょうど配置される位置である。枕４は、装着具３の第２空間６内に収容されているため、使用者は直に枕４に触れることがない。そのため、使用者の寝返り等の動作によって枕４が第２空間６内を移動することはほとんどない。
【００２５】
このように、装着具３によって、マットレス１に枕４が装着されている。また、本実施形態の装着具３は、マットレス１のカバーとして機能している。すなわち、マットレス１における装着具３が装着された部位は、装着具３によって覆われており、第２空間６から枕４が取り出されても、マットレス１における装着具３で覆われた部位は外部に露出しない。
【００２６】
また、図３（ｄ）は、拡張部材２を連結していないマットレス１に装着具３を取り付けた状態を示している。この場合には、マットレス１の一部が装着具３の第１空間５内に収容され、マットレス１の端部が底部５ｂに当接し、マットレス１に対する装着具３の位置が固定される。そして、このマットレス１に取り付けられた装着具３の第２空間６に枕４が収容されている。装着具３を介してマットレス１に装着された枕４の位置は、図３（ｄ）に示すように、比較的背が低い使用者の頭部が配置される位置である。
【００２７】
このように、装着具３は、マットレス１に拡張部材２を連結するか否かに関わらず、枕４の位置を使用者にとって使用しやすい適切な位置に固定する機能を有している。すなわち、装着具３の第１空間５と第２空間６の相対位置が固定されていることにより、第１空間５が、枕４の収容部として機能する第２空間６を、マットレス１の特定の位置に取り付ける取付部を構成している。
【００２８】
次に、本発明の別の実施形態について説明する。
図４は、別の実施形態に係る装着具１０と、マットレス１を示している。
【００２９】
装着具１０は、図２（ａ）の第２空間６及び開口６ａの代わりに、第２空間１１及び開口１１ａ（第２開口）を備えている。開口１１ａは、略直方体形状の枕４の長手方向の寸法よりは短く、枕４の短手方向の寸法よりは若干大きい大きさを有している。そのため、枕４の短手方向を開口１１ａの幅方向と一致させると、枕４は開口１１ａを通過して第２空間１１内に収容可能である。そして、第２空間１１内で枕４の向きを９０度回転させる（図４の状態）と、枕４の長手方向が開口１１ａ側を向き、枕４は開口１１ａを介して第２空間１１から外部に出ることができなくなる。この装着具１０の開口１１ａは、図４に示すように、開口５ａと同じ側であって、開口５ａの上方に設けられている。
【００３０】
このように開口１１ａを構成すると、マットレス１を図示しないベッド上に載置し、ベッドをリクライニング（使用者の上半身を水平姿勢から傾斜姿勢に変更）して、開口１１ａが下向きになっても、枕４が第２空間１１から脱落することがない。すなわち、マットレス１に対して枕４の位置が、装着具１０によって固定され、マットレス１の特定の位置に枕４を装着することができる。
【００３１】
図５は、さらに別の実施形態に係る装着具１５を示している。
装着具１５では、装着具３の第２空間６（図２（ｂ））、装着具１０の第２空間１１（図４）の代わりに、第２空間１６が設けられている。
【００３２】
第２空間１６は、開口５ａと直交する位置に開口１６ａが設けられている。すなわち、開口１６ａは、装着具１５をマットレス１に取り付けた際に、マットレス１の側方に位置する。開口１６ａは、開口１１ａ（図４）と同程度の大きさを有している。
【００３３】
装着具１５をマットレス１に取り付けると、マットレス１を載置した図示しないベッドをリクライニングしても、開口１６ａがマットレス１の側方にあるため、第２空間１６内の枕４は、開口１６ａを介して第２空間１６から脱落しない。すなわち、マットレス１に対して枕４の位置が、装着具１５によって固定され、マットレス１の特定の位置に枕４を装着することができる。
【００３４】
以上説明した例では、いずれの装着具３、１０、１５も、枕４を収容した第２空間６、１１、１６（収容部）と、この第２空間６、１１、１６をマットレス１に取り付ける第１空間５（取付部）を有しているが、装着具は、第１空間５の代わりに、ベルトのような紐状の部材（取付部）を有していてもよい。すなわち、ベルトを締結することによって装着具をマットレスに装着し、ベルトを緩めると、装着具をマットレスから取り外すことができるように装着具を構成することもできる。
【符号の説明】
【００３５】
１                    マットレス
２                    拡張部材
３、１０、１５        装着具
４                    枕
５                    第１空間（取付部）
５ａ                  開口（第１開口）
６、１１、１６        第２空間（収容部）
６ａ、１１ａ、１６ａ  開口（第２開口）
【図１】
2020130959.tif 000003
【図２】
2020130959.tif 000004
【図３】
2020130959.tif 000005
【図４】
2020130959.tif 000006
【図５】
2020130959.tif 000007